【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
空間部に吊り張りする長尺矩形状のネット又はシートと、該ネット又はシートの吊り張り縦方向と並行に架け渡しウインチで移動する駆動用ロープ、又はネット又はシートの吊り張り縦方向と並行に張設したガイド用ロープの何れかを挿通し、ネット又はシートの吊り張り縦方向に沿って直線状に複数個取り付けられたリング体から構成された防球用等のネット体又はシート体において、前記リング体はネット又はシートの横方向の左右両端側で補強用ロープを介して所望の間隔で連結した複数本の連結用ロープにそれぞれ複数個移動自在に挿通され、且つ前記駆動用ロープ、又はガイド用ロープに対応した位置を中心に左右横方向に所望量移動可能に取り付けられていることを特徴とする防球用等のネット体又はシート体。
【請求項２】
ネット又はシートの吊り張り縦方向で直線状に複数個のリング体を取り付けることでネット体又はシート体を形成した後、前記リング体にネット体又はシート体の吊り張り縦方向と並行に架け渡したウインチで移動する駆動用ロープ、又はネット体又はシート体の吊り張り縦方向と並行に張設したガイド用ロープの何れかを挿通するとともに、駆動用ロープをネット体又はシート体に連結し、該駆動用ロープを移動することでネット体又はシート体を移動する防球用等のネット体又はシート体の移動方法において、前記ネット又はシートの横方向の左右両端側でリング体を移動自在に挿通した連結用のロープを複数本所望の間隔で補強用ロープを介して連結した後、前記駆動用ロープ、又はガイド用ロープに対応した位置にリング体を左右横方向に移動し縦方向で直線状に位置して駆動用ロープ、又はガイド用ロープを挿通するとともに、ネット体又はシート体に駆動用ロープを連結し、該駆動用ロープを移動することでリング体を連結用ロープに沿って左右横方向に移動しながら、前記連結用ロープ間を離反、又は近接しながらネット体又はシート体を移動することを特徴とする防球用等のネット体又はシート体の移動方法。
【手続補正２】
【補正対象書類名】明細書
【補正対象項目名】発明の名称
【補正方法】変更
【補正の内容】
【発明の名称】防球用等のネット体又はシート体、及び防球用等のネット体又はシート体の移動方法
【手続補正３】
【補正対象書類名】明細書
【補正対象項目名】０００１
【補正方法】変更
【補正の内容】
【０００１】本発明は、例えば防球用として使用するネット体、空間部を間仕切りするシート体を吊り張りするのに使用する防球用等のネット体又はシート体、及び防球用等のネット体又はシート体の移動方法に関する。
【手続補正４】
【補正対象書類名】明細書
【補正対象項目名】００１１
【補正方法】変更
【補正の内容】
【００１１】そこで、本発明は、上記課題を解決するものであって、リング体の位置調整が容易であり、また、ネット体又はシート体の収納が容易である防球用等のネット体又はシート体、及び防球用等のネット体又はシート体の移動方法を提供することを課題とするものです。
【手続補正５】
【補正対象書類名】明細書
【補正対象項目名】００１２
【補正方法】変更
【補正の内容】
【００１２】上記課題を解決する本発明の解決手段としての防球用等のネット体又はシート体は、請求項１に記載のように、空間部に吊り張りする長尺矩形状のネット又はシートと、該ネット又はシートの吊り張り縦方向と並行に架け渡しウインチで駆動する駆動用ロープ、又はネット又はシートの吊り張り縦方向と並行に張設したガイド用ロープの何れかを挿通し、ネット又はシートの吊り張り縦方向に沿って直線状に複数個取り付けられたリング体から構成された防球用等のネット体又はシート体において、前記リング体はネット又はシートの横方向の左右両端側で補強用ロープを介して所望の間隔で連結した複数本の連結用ロープにそれぞれ複数個移動自在に挿通され、且つ前記駆動用ロープ、又はガイド用ロープに対応した位置を中心に左右方向に所望量移動可能に取り付けられていることを特徴とする。
【手続補正６】
【補正対象書類名】明細書
【補正対象項目名】００１３
【補正方法】変更
【補正の内容】
【００１３】また、解決手段としての防球用等のネット体又はシート体の移動方法は、請求項２に記載のように、ネット又はシートの吊り張り縦方向で直線状に複数個のリング体を取り付けることでネット体又はシート体を形成した後、前記リング体にネット体又はシート体の吊り張り縦方向と並行に架け渡しウインチで駆動する駆動用ロープ、又はネット体又はシート体の吊り張り縦方向と並行に張設したガイド用ロープの何れかを挿通するとともに、駆動用ロープをネット体又はシート体に連結し、該駆動用ロープを移動することでネット体又はシート体を移動する防球用等のネット体又はシート体の移動方法において、前記ネット又はシートの横方向の左右両端側でリング体を移動自在に挿通した連結用ロープを複数本所望の間隔で補強用ロープを介して連結した後、前記駆動用ロープ、又はガイド用ロープに対応した位置にリング体を左右横方向に移動し縦方向で直線状に位置して駆動用ロープ、又はガイド用ロープを挿通するとともに、ネット体又はシート体に駆動用ロープを連結し、該駆動用ロープを移動することでリング体を連結用ロープに沿って左右方向に移動しながら、前記連結用ロープ間を離反、又は近接しながらネット体又はシート体を移動することを特徴とする。
【手続補正７】
【補正対象書類名】明細書
【補正対象項目名】００１４
【補正方法】変更
【補正の内容】
【００１４】本発明の防球用等のネット体又はシート体、及び防球用等のネット体又はシート体の移動方法の作用効果について説明する。
【手続補正８】
【補正対象書類名】明細書
【補正対象項目名】００２２
【補正方法】変更
【補正の内容】
【００２２】次に、請求項２に記載の防球用等のネット体又はシート体の移動方法は、ネット又はシートの横方向の左右両端側で複数個のリング体を移動自在に挿通した複数本の連結用ロープを連結してネット体又はシート体を形成する。
【手続補正９】
【補正対象書類名】明細書
【補正対象項目名】００３０
【補正方法】変更
【補正の内容】
【００３０】次に、本発明に係る防球用等のネット体又はシート体、及び防球用等のネット体又はシート体の移動方法の各実施例を、図面を参照して説明する。
【手続補正１０】
【補正対象書類名】明細書
【補正対象項目名】００３１
【補正方法】変更
【補正の内容】
【００３１】図１は本発明の防球用等のネット体又はシート体の一実施例を示す概略説明正面図であり、図２はリング体を示す概略説明正面図であり、図３は図２のリング体を示す概略説明側面図であり、図４はリング体にガイド用ロープを挿通した状態を示す概略説明正面図であり、図５はネット体又はシート体の吊り張り状態を示す概略説明側面図であり、図６はネット体又はシート体の収納状態を示す概略説明側面図であり、図７は本発明の防球用等のネット体又はシート体の他実施例を示す概略説明正面図であり、図８はリング体の他実施例を示す概略説明正面図であり、図９は図８のリング体を示す概略説明正面図であり、図１０は本発明の防球用等のネット体又はシート体の移動方法を示すフローチャートである。
【手続補正１１】
【補正対象書類名】明細書
【補正対象項目名】００５４
【補正方法】変更
【補正の内容】
【００５４】
【図１】本発明の防球用等のネット体又はシート体の一実施例を示す概略説明正面図
【図２】リング体を示す概略説明正面図
【図３】図２のリング体を示す概略説明側面図
【図４】リング体にガイド用ロープを挿通した状態を示す概略説明正面図
【図５】ネット体又はシート体の吊り張り状態を示す概略説明側面図
【図６】ネット体又はシート体の収納状態を示す概略説明側面図
【図７】本発明の防球用等のネット体又はシート体の他実施例を示す概略説明正面図
【図８】リング体の他実施例を示す概略説明正面図
【図９】図８のリング体を示す概略説明正面図
【図１０】本発明の防球用等のネット体又はシート体の移動方法を示すフローチャート